(57)【要約】【課題】受圧盤と可動盤との距離を、受圧盤に対するトグルリンクの軸支手段を変えることにより短縮して、トグル式型締装置のコンパクト化を図る。【解決手段】受圧盤２のトグル駆動装置１３が位置する中央部を、クロスヘッド１２と共にリンクピン１５を収容する内向きの凹所６に形成する。凹所６の開口内両側に割り溝７を設ける。割り溝７にトグルリンク１７の端部を挿入して軸支する。トグル縮小時にトグルリンク１７を凹所６内に没入可能に構成する。【選択図】　　図３
2004025813.tif 000002
【特許請求の範囲】
【請求項１】
固定盤と圧受盤とをタイバーにより連結し、その圧受盤の中央に駆動装置を設置して、該受圧盤とタイバーに挿通した可動盤とにわたり設けたトグル機構により、固定盤と可動盤とに取付けた金型の開閉及び型締を行う型締装置において、
上記受圧盤のトグル駆動装置が位置する中央部を、クロスヘッドと共にリンクピンを収容する内向きの凹所に形成するとともに、凹所の開口内両側に割り溝を設け、その割り溝に一方のトグルリンクの端部を挿入して軸支し、トグル縮小時に該トグルリンクを凹所内に没入可能に構成してなることを特徴とする成形機のトグル式型締装置。
【請求項２】
上記トグル駆動装置は、上記凹所の中央に軸受部材により回転自在に支持して設けたねじ軸と、そのねじ軸と螺合したナット部材内装のクロスヘッドとからなり、そのねじ軸の駆動源を電動モータとしてなることを特徴とする請求項１記載の成形機のトグル式型締装置。
【請求項３】
上記トグル駆動装置は、上記受圧盤の中央外側に設置した油圧シリンダと、その油圧シリンダから上記凹所の中央に伸縮自在に挿入したピストンロッドと、そのピストンロッドの先端に取付けたクロスヘッドとからなることを特徴とする請求項１記載の成形機のトグル式型締装置。
【発明の詳細な説明】
【０００１】
【発明の属する技術分野】
この発明は、固定盤と可動盤とに取付けた金型の開閉及び型締を、圧受盤と可動盤との間に設けたトグル機構により行う成形機のトグル式型締装置に関するものである。
【０００２】
【発明が解決しようとする課題】
通常のトグル式型締装置は、固定盤と可動盤との対向面に突設した受片に、リンクピンにより接続したトグルリンクの端部を軸支して、トグル機構を両盤にわたり取り付け、そのトグルリンクを受圧盤中央に設けたトグル駆動装置により、折畳み又は伸長して可動盤を固定盤に対し進退移動している。
【０００３】
固定盤と可動盤に分割して取り付けた金型の型締は、トグルの伸長による型閉後の伸長力によりタイバーを伸ばし、タイバー反力を型締力として金型に付与している。このため受圧盤にも型締力と同等の力が作用することになる。また型締力はタイバーの伸び量によって決定されるので、受圧盤が伸長力により変形すると、その変形分だけタイバーを伸長することができず、設定された型締力を発生することができなくなる。このようなことから受圧盤は厚肉に形成されて剛性が付与されている。
【０００４】
受圧盤を厚肉に形成すると、その分だけ型締装置が長くなり、固定盤と受圧盤とにわたり設けたタイバーも長くなる。またタイバーの伸び量は長さに比例するので、トグル機構も作動ストロークが長いものが必要となり、これらのことからトグル式型締装置では必然的に大型となる傾向にある。
【０００５】
この発明は、上記トグル式型締装置の課題を解決するために考えられたものであって、その目的は、受圧盤に対するトグルリンクの軸支手段を変えるだけで、作動ストロークをそのままに受圧盤と可動盤との距離を短縮して、型締装置をコンパクトに構成することができる新たな成形機のトグル式型締装置を提供することにある。
【０００６】
【課題を解決するための手段】
上記目的によるこの発明は、固定盤と圧受盤とをタイバーにより連結し、その圧受盤の中央に駆動装置を設置して、該受圧盤とタイバーに挿通した可動盤とにわたり設けたトグル機構により、固定盤と可動盤とに取付けた金型の開閉及び型締を行う型締装置において、上記受圧盤のトグル駆動装置が位置する中央部を、クロスヘッドと共にリンクピンを収容する内向きの凹所に形成するとともに、凹所の開口内両側に割り溝を設け、その割り溝に一方のトグルリンクの端部を挿入して軸支し、トグル縮小時に該トグルリンクを凹所内に没入可能に構成してなるというものである。
【０００７】
またこの発明の上記トグル駆動装置は、上記凹所の中央に軸受部材により回転自在に支持して設けたねじ軸と、そのねじ軸と螺合したナット部材内装のクロスヘッドとからなり、そのねじ軸の駆動源を電動モータとしてなるというものである。
【０００８】
さらに上記トグル駆動装置は、上記受圧盤の中央外側に設置した油圧シリンダと、その油圧シリンダから上記凹所の中央に伸縮自在に挿入したピストンロッドと、そのピストンロッドの先端に取付けたクロスヘッドとからなるというものでもある。
【０００９】
【発明の実施の形態】
以下この発明を竪型成形機のトグル式型締装置について詳説する。
図１〜図３は、駆動源に電動サーボモータを採用したトグル機構の１実施形態を示すものである。
【００１０】
図中１は固定盤、２は受圧盤で、両盤は四隅部をタイバー３により連結して、固定盤側を下側に機台上に設置してある。４はタイバー３に挿通して両盤間に設けた可動盤で、その可動盤４と固定盤１の対向面に金型５が分割して取り付けてある。
【００１１】
上記受圧盤２の中央部は、後記するクロスヘッドとリンクピンとを収容できる内向きの深い凹所６に形成してある。この凹所６の開口内の両側にはリンク挿入用の複数の並行な割り溝７が設けてあり、その割り溝７と直角な軸孔８が受圧盤２に穿設してある。また凹所６の上部中央には軸受部材９が嵌装してある。
【００１２】
１０はダブルトグル機構（以下トグル機構という）で、上記軸受部材９により凹所６の中央に回転自在に支持して設けたボールねじ軸１１（以下ねじ軸という）と、そのボールねじ軸１１と螺合したナット部材内装のクロスヘッド１２とからなる駆動装置１３と、作動リンク１４と共にリンクピン１５により接続した長さが異なるトグルリンク（以下リンクという）１６，１７とからなる。
【００１３】
このリンク１６，１７のうち、長いリンク１６は端部を上記可動盤４に突設した受片１８に支軸１９により軸支して可動盤側に、短いリンク１７は端部を上記割り溝７に挿入し、支軸２０により軸支して受圧盤内にそれぞれ連結してある。また作動リンク１４はクロスヘッド１２の側部に突設した耳片にピン２１により回動自在に連結され、その作動リンク１４がクロスヘッド１２と共に移動して、リンクピン１５によるリンク１６，１７の接続部位を引張り又は押し戻し、トグル機構１０を伸縮する。
【００１４】
上記トグル駆動装置１３は、受圧盤２の側部に取り付けた電動サーボモータ２２を駆動源とし、ねじ軸外端のプーリー２３と、電動サーボモータ側のプーリー２４とに巻回したタイミングベルト２５によりねじ軸１１が回転する。これによりクロスヘッド１２が内部のナット部材と共にねじ軸１１を上下移動し、クロスヘッド１２の上昇時に作動リンク１４はリンクピン１５を引っ張ってリンク１６，１７を折畳み、可動盤４を上昇して金型５の型開を行う。また降下時にはリンクピン１５を元に押し戻して伸長し、可動盤４を降下して金型５の型閉じを行い、さらなる伸長により型締が行われる。
【００１５】
図４に示す実施形態は、トグル機構１０の駆動を油圧により行う場合を例示するものであつて、図１に示す駆動源を電動モータ２２とする実施形態とは、トグル駆動装置１３が異なるだけで、トグル機構１０は同一構成からなる。したがつて、トグル機構１０については符号を付して説明は省略する。
【００１６】
この実施形態では、図１に示す凹所６の軸受部材９を受座２６に替え、その受座２６に油圧シリンダ２７を設置している。受座２６は中央に貫通孔を有し、その貫通孔を通してピストンロッド２８を凹所６に位置させ、その先端に上記クロスヘッド１２をピン連結して、ピストンロッド２８の伸縮によりクロスヘッド１２を上下移動するように構成している。
【００１７】
上記実施形態の何れにおいても、上記受圧盤２のトグル駆動装置１３が位置する中央部を、クロスヘッド１２と共にリンクピン１５を収容する内向きの凹所６に形成し、その凹所６の開口内両側に設けた割り溝７に、短いリンク１７の端部を挿入して支軸２０により回動自在に連結していることから、リンク１７の支軸部が受圧盤２の内部となり、これによりリンク相互の折畳みが受圧盤内まで行われるようになって、リンク１７は全体が受圧盤内に没入し、受圧盤２と可動盤４との間の作動スペースから除かれる。
【００１８】
このため作動ストロークが、従来の受圧盤に突設した受片に、リンクを軸支したトグル機構と同一でも、受圧盤内に没入したリンク１７の幅分だけ可動盤４が受圧盤側に接近するようになる。また受圧盤２の内部にリンク端部を挿入して軸支したので、その挿入分だけ受圧盤２と可動盤４の盤間距離を短く設定することができる。この結果、剛性付与のために受圧盤２の盤厚が厚く設定されるトグル式型締装置でも、型締装置の長さ短縮が図られて、全体をコンパクトに構成することが可能となる。特に竪型成形機では型締装置の高さを低く設計することができる。
【００１９】
なお、上記実施形態は、型締装置を機台上に竪に設置した竪型成形機について説明したものであるが、通常のごとく機台上に横に設置しても、構成及び作用効果に変わるところがないので、この発明は横型成形機のトグル式型締装置としても採用し得るものである。
【図面の簡単な説明】
【図１】この発明に係わる成形機のトグル式型締装置の型開時の要部縦断面図である。
【図２】同上のリンク連結部位の縦断側面図である。
【図３】型閉時の要部縦断面図である。
【図４】この発明の他の実施形態の型閉時の要部縦断面図である。
【符号の説明】
１　　固定盤
２　　受圧盤
３　　タイバー
４　　可動盤
５　　金型
６　　凹所
７　　割り溝
９　　軸受部材
１０　　トグル機構
１１　　ねじ軸
１２　　クロスヘッド
１３　　トグル駆動装置
１４　　作動リンク
１５　　リンクピン
１６，１７　　リンク
２０　　支軸
２２　　電動サーボモータ
２６　　受座
２７　　油圧シリンダ
２８　　ピストンロッド
【図１】
2004025813.tif 000003
【図２】
2004025813.tif 000004
【図３】
2004025813.tif 000005
【図４】
2004025813.tif 000006